(57)【要約】      （修正有）【課題】泡状、ペースト状等の使用形態への調製性、優れた起泡性、豊かな泡量、細かな泡質、弾力性のある泡、優れた洗浄力、良好な洗浄後のコンディショニング効果、優れた組成物の保存安定性、皮膚や毛髪に対する低刺激性、を有する洗浄剤組成物の提供。【解決手段】アニオン界面活性剤及びノニオン界面活性剤から選ばれる少なくとも一種の界面活性剤を含有する洗浄剤組成物であって、成分（Ａ）：式（１）で表されるアスパラギン酸誘導体が組成物中の界面活性剤の全重量に対して０．１重量％以上含有する洗浄剤組成物。更に、成分（Ｂ）：多価アルコール含有し、その上、成分（Ｃ）：アルキルグルコシドを必須成分として含有し、亦成分（Ｄ）：アミドアルキルベタイン型界面活性剤を含有する、洗浄剤組成物。2018070825.tif 000010［Ｒ１はＣ１０〜２２の直鎖状／分岐鎖状のアルキル基又はアルケニル基；Ｍ１は夫々独立にＨ、アルカリ金属イオン、アンモニウムイオン等］【選択図】なし【特許請求の範囲】
【請求項１】
アニオン界面活性剤及びノニオン界面活性剤からなる群より選ばれる少なくとも一種の界面活性剤を含有する洗浄剤組成物であって、
成分（Ａ）：一般式（１）
【化１】
2018070825.tif 000007
［式中、Ｒ１は炭素数１０〜２２の直鎖状若しくは分岐鎖状のアルキル基又はアルケニル基を表す。また２個のＭ１は、同一又は異なって、それぞれ水素原子、アルカリ金属イオン、アンモニウムイオン又は有機アンモニウムイオンを表す。］
で表されるアスパラギン酸誘導体が組成物中の前記界面活性剤の全重量に対して０．１重量％以上含有することを特徴とする洗浄剤組成物。
【請求項２】
さらに、成分（Ｂ）：多価アルコールを含有する請求項１に記載の洗浄剤組成物。
【請求項３】
ノニオン界面活性剤として、成分（Ｃ）：アルキルグルコシドを必須成分として含有する請求項１または請求項２に記載の洗浄剤組成物。
【請求項４】
さらに、成分（Ｄ）：一般式（２）
【化２】
2018070825.tif 000008
［式中、Ｒ２は炭素数８〜２２の直鎖状若しくは分岐鎖状のアルキル基又はアルケニル基を表す。Ｒ３及びＲ４は、同一又は異なって、それぞれ炭素数１〜３の直鎖状若しくは分岐鎖状のアルキル基又はヒドロキシエチル基を表す。］
で表されるアルキルベタイン型界面活性剤、及び
成分（Ｅ）：一般式（３）
【化３】
2018070825.tif 000009
［式中、Ｒ５は炭素数７〜２１の直鎖状若しくは分岐鎖状のアルキル基又はアルケニル基を表す。Ｒ６は水素原子又は炭素数１〜３の直鎖状若しくは分岐鎖状のアルキル基を表す。Ｒ７及びＲ８は、同一又は異なって、それぞれ炭素数１〜３の直鎖状若しくは分岐鎖状のア
ルキル基又はヒドロキシエチル基を表す。ｐは、１〜４の整数を表す。］
で表されるアミドアルキルベタイン型界面活性剤
からなる群より選ばれる少なくとも一種を含有する請求項１〜３いずれかに記載の洗浄剤組成物。
【請求項５】
前記成分（Ｂ）が、エチレングリコール、ジエチレングリコール、１，３−ブチレングリコール、プロピレングリコール、ジプロピレングリコールイソペンチルジオール、ペンタエリスリトール、ジペンタエリスリトール、グリセリン、ジグリセリン、キシリトール、マルチトース及びソルビトールからなる群より選ばれる少なくとも一種である請求項２〜４いずれかに記載の洗浄剤組成物。
【請求項６】
前記（Ｃ）成分が、オクチルグルコシド、デシルグルコシド及びラウリルグルコシドからなる群より選ばれる少なくとも一種である請求項３〜５いずれかに記載の洗浄剤組成物。
【発明の詳細な説明】
【技術分野】
【０００１】
本発明は、洗浄剤組成物に関するものである。
【背景技術】
【０００２】
近年、洗顔料、ボディソープ、シャンプーに代表される洗浄剤は、化粧や汚れを落とすという洗浄作用、すすぎ性、低刺激性等の基本性能に加えて、さらに高性能化や高機能化を施し付加価値を高めて上市されている。上市された製品には様々な形態があり、消費者のニーズに合わせて、泡状、乳液状、ペースト状、クリーム状など種々の形態で製品化される。
例えば、ポンプフォーマータイプの洗顔料は、その洗浄成分として従来の洗顔料と同様に、きめ細かく、クリーミーな泡を得るために、脂肪酸石けんが使用されている。そして、そのポンプフォーマータイプの洗顔料には、（i）ポンプフォーマー容器のメッシュを通って泡状とするため、粘度が低く、透明又は半透明な液状であること、（ii）容器から吐出した泡をそのまま肌に塗布し、さらに泡立てることがないため、吐出された泡のみで十分な起泡量ときめ細かい泡質を実現すること、（iii）肌になじませた後、十分な洗浄実感が得られること、が必要である。
これに対し、特許文献１では、特定のアルキル基を有するアルキルグリセリルエーテル、脂肪酸またはその塩及びグリセリン誘導体を含む洗浄剤組成物で課題を解決している。
【０００３】
また、ペースト状、クリーム状などの固形状の洗浄剤は、皮膚や毛髪に塗布したときに、たれ落ちがなくなめらかに広がっていくため、ボディソープやシャンプーへ多用されている。ペースト状の洗浄剤の場合、調製直後はペースト状の形態を保持していても、経時に伴いゲル化して著しい離水を生ずるときがあることから、耐離水性に優れていること、そして起泡性、使用性等に優れ、皮膚や毛髪に対して低刺激性であることも必要である。クリーム状の洗浄剤の場合、高級脂肪酸アルカリ塩（石けん) を主洗浄成分に用いたものが広く使用されている。このような石けんを用いた洗浄剤を毛髪に使用すると、泡立ちでは優れるものの、すすぎ時及び洗浄後にきしみ感を感じる、硬水中では泡立ちや洗浄力が著しく低下するといった問題点がある。また、保存安定性においても、低温域で石けんが結晶化する、高温域で離水するといった問題点がある。
これに対し、特許文献２では、アシルメチルタウリン塩型陰イオン性界面活性剤、グリセリン、炭素数８〜２０ の脂肪酸、クエン酸ナトリウム及びカチオン性ポリマーを用いた特定の組成物で課題を解決している。
【先行技術文献】
【特許文献】
【０００４】
【特許文献１】特開２０１６−１２１０９８号公報
【特許文献２】特開２０１０−２１５５７７号公報
【発明の概要】
【発明が解決しようとする課題】
【０００５】
本発明では、泡状、ペースト状等の使用形態への調製の容易性、優れた起泡性、豊かな泡量、きめ細かな泡質、弾力性のある泡、優れた洗浄力、良好な洗浄後のコンディショニング効果、優れた洗浄剤組成物の保存安定性、皮膚や毛髪に対する低刺激性、を有する洗浄剤組成物を提供することにある。
【課題を解決するための手段】
【０００６】
本発明者らは、鋭意検討した結果、アニオン界面活性剤及び／又はノニオン界面活性剤を含有する洗浄剤に特定のアスパラギン酸誘導体を含有させることにより、単独で使用する場合と比べて、泡量、泡質に優れ、すすぎ性も良好であることを見出した。さらに検討を進める中で、多価アルコールを添加することで、洗浄後のコンディショニング効果が良好であり、洗浄剤組成物の保存安定性が良好であることを見出した。また、アルキルグルコシドを添加することで、低刺激性でありながら、より起泡性と速泡性が良好となることも見出した。加えて、特定のアルキルベタイン型界面活性剤及び／又はアミドアルキルベタイン型界面活性剤を添加することで、驚くべきことに弾力性のある泡となる効果をも見出し、本発明の完成に至った。
【０００７】
すなわち本発明は、以下の項目を要旨とする洗浄剤組成物を提供するものである。
【０００８】
（項１）
アニオン界面活性剤及びノニオン界面活性剤からなる群より選ばれる少なくとも一種の界面活性剤を含有する洗浄剤組成物であって、
成分（Ａ）：一般式（１）
【化１】
2018070825.tif 000002
［式中、Ｒ１は炭素数１０〜２２の直鎖状若しくは分岐鎖状のアルキル基又はアルケニル基を表す。また２個のＭ１は、同一又は異なって、それぞれ水素原子、アルカリ金属イオン、アンモニウムイオン又は有機アンモニウムイオンを表す。］
で表されるアスパラギン酸誘導体が組成物中の前記界面活性剤の全重量に対して０．１重量％以上含有することを特徴とする洗浄剤組成物。
【０００９】
（項２）
さらに、成分（Ｂ）：多価アルコールを含有する項１に記載の洗浄剤組成物。
【００１０】
（項３）
ノニオン界面活性剤として、成分（Ｃ）：アルキルグルコシドを必須成分として含有する項１または項２に記載の洗浄剤組成物。
【００１１】
（項４）
さらに、成分（Ｄ）：一般式（２）
【化２】
2018070825.tif 000003
［式中、Ｒ２は炭素数８〜２２の直鎖状若しくは分岐鎖状のアルキル基又はアルケニル基を表す。Ｒ３及びＲ４は、同一又は異なって、それぞれ炭素数１〜３の直鎖状若しくは分岐鎖状のアルキル基又はヒドロキシエチル基を表す。］
で表されるアルキルベタイン型界面活性剤、及び
成分（Ｅ）：一般式（３）
【化３】
2018070825.tif 000004
［式中、Ｒ５は炭素数７〜２１の直鎖状若しくは分岐鎖状のアルキル基又はアルケニル基を表す。Ｒ６は水素原子又は炭素数１〜３の直鎖状若しくは分岐鎖状のアルキル基を表す。Ｒ７及びＲ８は、同一又は異なって、それぞれ炭素数１〜３の直鎖状若しくは分岐鎖状のア
ルキル基又はヒドロキシエチル基を表す。ｐは、１〜４の整数を表す。］
で表されるアミドアルキルベタイン型界面活性剤
からなる群より選ばれる少なくとも一種を含有する項１〜３いずれかに記載の洗浄剤組成物。
【００１２】
（項５）
前記成分（Ｂ）が、エチレングリコール、ジエチレングリコール、１，３−ブチレングリコール、プロピレングリコール、ジプロピレングリコール、イソペンチルジオール、ペンチレングリコール、ペンタエリスリトール、ジペンタエリスリトール、グリセリン、ジグリセリン、キシリトール、マルチトース及びソルビトールからなる群より選ばれる少なくとも一種である項２〜４いずれかに記載の洗浄剤組成物。
【００１３】
（項６）
前記（Ｃ）成分が、オクチルグルコシド、デシルグルコシド及びラウリルグルコシドからなる群より選ばれる少なくとも一種である項３〜５いずれかに記載の洗浄剤組成物。
【００１４】
（項７）
アニオン界面活性剤として、脂肪酸石けんを必須成分として含有する、項１〜７いずれかに記載の洗浄剤組成物。
【発明の効果】
【００１５】
上記項１に記載の発明によれば、本発明の洗浄剤組成物は、豊かな泡量及びきめ細かな泡質に優れ、すすぎ性（泡切れ）の良好な洗浄剤で、加えて起泡性と速泡性が良好な洗浄剤組成物である。
上記項２及び項５に記載の発明によれば、さらに、洗浄後の毛髪や皮膚がなめらかになるような感触の良さで、保存安定性が良好な洗浄剤組成物とすることができる。
上記項３及び項６に記載の発明によれば、さらに、より起泡性と速泡性に優れた洗浄剤組成物とすることができる。
上記項４に記載の発明によれば、さらに、泡粘度が高く弾力性のある泡が得られる洗浄剤組成物とすることができる。より洗浄後の毛髪や皮膚の感触のなめらかさに寄与する。毛髪用洗浄剤組成物として用いると、乾燥後の髪にコンディショニング効果を与える。
上記項７に記載の発明によれば、さらに、より泡量及び泡質に優れ、泡切れの良好な洗浄剤組成物とすることができる。皮膚用洗浄剤組成物として用いると、タオルドライ後の皮膚にさっぱり感を与える。
【発明を実施するための形態】
【００１６】
以下、本発明の構成について詳述する。
【００１７】
本発明の洗浄剤組成物は、アニオン界面活性剤及びノニオン界面活性剤からなる群より選ばれる少なくとも一種の界面活性剤に加えて、上記成分（Ａ）の一般式（１）で表されるアスパラギン酸誘導体から選ばれる少なくとも一種を特定量含有していることを特徴とし、当該特定量の成分（Ａ）を含有させることにより、泡質の向上、起泡性・速泡性の向上、豊かな泡量及び良好な泡切れ（すすぎ性）の効果を奏する。
本発明に係るアスパラギン酸誘導体は、上記一般式（１）で表される化合物である。一般式（１）におけるＲ１は、炭素数１０〜２２の直鎖状若しくは分岐鎖状のアルキル基またはアルケニル基であり、好ましくは１２〜２２、より好ましくは１２〜１８の直鎖状若しくは分岐鎖状のアルキル基またはアルケニル基が推奨される。
具体的には、ｎ−デシル基、ラウリル基、ミリスチル基、パルミチル基、ステアリル基、アラキジル基、ベヘニル基、オレイル基、リノール基、リノレニル基、イソステアリル基、ヤシ油アルキル基、パーム核油アルキル基、パーム油アルキル基、大豆油アルキル基等が例示され、好ましくはラウリル基、ミリスチル基、パルミチル基、ステアリル基、オレイル基、ヤシ油アルキル基、パーム油アルキル基、パーム核油アルキル基が推奨される。
【００１８】
またアスパラギン酸誘導体を構成する２つのＭ１は、同一又は異なって、それぞれ、水素原子、アルカリ金属イオン、アンモニウムイオン、有機アンモニウムイオンを表す。
アルカリ金属イオンとしては、リチウムイオン、ナトリウムイオン、カリウムイオン等が例示され、好ましくはナトリウムイオン、カリウムイオンが推奨される。
有機アンモニウムイオンとしては、モノエタノールアンモニウムイオン、Ｎ−メチルモノエタノールアンモニウムイオン、Ｎ−ブチルモノエタノールアンモニウムイオン、ジエタノールアンモニウムイオン、トリエタノールアンモニウムイオン、イソプロパノールアンモニウムイオン、２−ヒドロキシメチル−２−プロピルアンモニウムイオン等のアルカノールアンモニウムイオン、リシン、アルギニン等の塩基性アミノ酸のアンモニウムイオン等が例示され、好ましくはナトリウムイオン、カリウムイオン、トリエタノールアンモニウムイオン、アンモニウムイオンが推奨される。
【００１９】
アスパラギン酸誘導体を構成する２つのＭ１の少なくとも一方がアルカリ金属イオンの場合、アルカリ金属イオンとしてナトリウムイオンを選択するとき、その洗浄剤組成物はペースト状、クリーム状などの固体状となりやすく、持ち運び用の洗浄剤、例えば、1回使い切りの携帯用洗浄剤に適している。また、カリウムイオンを選択するとき、その洗浄剤組成物は液状（水溶液）となりやすく、ポンプフォーマー用の洗浄剤に適している。
【００２０】
本発明に係るアスパラギン酸誘導体としては、具体的には、Ｎ−ｎ−デシルアスパラギン酸一ナトリウム、Ｎ−ｎ−デシルアスパラギン酸一カリウム、Ｎ−ｎ−デシルアスパラギン酸一アンモニウム、Ｎ−ｎ−デシルアスパラギン酸一トリエタノールアミン、Ｎ−ラウリルアスパラギン酸一ナトリウム、Ｎ−ラウリルアスパラギン酸一カリウム、Ｎ−ラウリルアスパラギン酸一アンモニウム、Ｎ−ラウリルアスパラギン酸一トリエタノールアミン、Ｎ−ミリスチルアスパラギン酸一ナトリウム、Ｎ−ミリスチルアスパラギン酸一カリウム、Ｎ−ミリスチルアスパラギン酸一アンモニウム、Ｎ−ミリスチルアスパラギン酸一トリエタノールアミン、Ｎ−パルミチルアスパラギン酸一ナトリウム、Ｎ−パルミチルアスパラギン酸一カリウム、Ｎ−パルミチルアスパラギン酸一アンモニウム、Ｎ−パルミチルアスパラギン酸一トリエタノールアミン、Ｎ−ステアリルアスパラギン酸一ナトリウム、Ｎ−ステアリルアスパラギン酸一カリウム、Ｎ−ステアリルアスパラギン酸一アンモニウム、Ｎ−ステアリルアスパラギン酸一トリエタノールアミン、Ｎ−オレイルアスパラギン酸一ナトリウム、Ｎ−オレイルアスパラギン酸一カリウム、Ｎ−オレイルアスパラギン酸一アンモニウム、Ｎ−オレイルアスパラギン酸一トリエタノールアミン、Ｎ−イソステアリルアスパラギン酸一ナトリウム、Ｎ−イソステアリルアスパラギン酸一カリウム、Ｎ−イソステアリルアスパラギン酸一アンモニウム、Ｎ−イソステアリルアスパラギン酸一トリエタノールアミン、Ｎ−アラキジルアスパラギン酸一ナトリウム、Ｎ−アラキジルアスパラギン酸一カリウム、Ｎ−アラキジルアスパラギン酸一アンモニウム、Ｎ−アラキジルアスパラギン酸一トリエタノールアミン、Ｎ−ベヘニルアスパラギン酸一ナトリウム、Ｎ−ベヘニルアスパラギン酸一カリウム、Ｎ−ベヘニルアスパラギン酸一アンモニウム、Ｎ−ベヘニルアスパラギン酸一トリエタノールアミン、Ｎ−ヤシ油アルキルアスパラギン酸一ナトリウム、Ｎ−ヤシ油アルキルアスパラギン酸一カリウム、Ｎ−ヤシ油アルキルアスパラギン酸一アンモニウム、Ｎ−ヤシ油アルキルアスパラギン酸一トリエタノールアミン、Ｎ−パーム核油アルキルアスパラギン酸一ナトリウム、Ｎ−パーム核油アルキルアスパラギン酸一カリウム、Ｎ−パーム核油アルキルアスパラギン酸一アンモニウム、Ｎ−パーム核油アルキルアスパラギン酸一トリエタノールアミン、Ｎ−パーム油アルキルアスパラギン酸一ナトリウム、Ｎ−パーム油アルキルアスパラギン酸一カリウム、Ｎ−パーム油アルキルアスパラギン酸一アンモニウム、Ｎ−パーム油アルキルアスパラギン酸一トリエタノールアミン、Ｎ−ｎ−デシルアスパラギン酸、Ｎ−ラウリルアスパラギン酸、Ｎ−ミリスチルアスパラギン酸、Ｎ−パルミチルアスパラギン酸、Ｎ−ステアリルアスパラギン酸、Ｎ−オレイルアスパラギン酸、Ｎ−アラキジルアスパラギン酸、Ｎ−ベヘニルアスパラギン酸、Ｎ−イソステアリルアスパラギン酸、Ｎ−ヤシ油アルキルアスパラギン酸、Ｎ−パーム核油アルキルアスパラギン酸、Ｎ−パーム油アルキルアスパラギン酸、Ｎ−ｎ−デシルアスパラギン酸二ナトリウム、Ｎ−ラウリルアスパラギン酸二ナトリウム、Ｎ−ミリスチルアスパラギン酸二ナトリウム、Ｎ−パルミチルアスパラギン酸二ナトリウム、Ｎ−ステアリルアスパラギン酸二ナトリウム、Ｎ−オレイルアスパラギン酸二ナトリウム、Ｎ−アラキジルアスパラギン酸二ナトリウム、Ｎ−ベヘニルアスパラギン酸二ナトリウム、Ｎ−イソステアリルアスパラギン酸二ナトリウム、Ｎ−ヤシ油アルキルアスパラギン酸二ナトリウム、Ｎ−パーム核油アルキルアスパラギン酸二ナトリウム、Ｎ−パーム油アルキルアスパラギン酸二ナトリウム、Ｎ−ｎ−デシルアスパラギン酸二カリウム、Ｎ−ラウリルアスパラギン酸二カリウム、Ｎ−ミリスチルアスパラギン酸二カリウム、Ｎ−パルミチルアスパラギン酸二カリウム、Ｎ−ステアリルアスパラギン酸二カリウム、Ｎ−オレイルアスパラギン酸二カリウム、Ｎ−アラキジルアスパラギン酸二カリウム、Ｎ−ベヘニルアスパラギン酸二カリウム、Ｎ−イソステアリルアスパラギン酸二カリウム、Ｎ−ヤシ油アルキルアスパラギン酸二カリウム、Ｎ−パーム核油アルキルアスパラギン酸二カリウム、Ｎ−パーム油アルキルアスパラギン酸二カリウム、Ｎ−ｎ−デシルアスパラギン酸二アンモニウム、Ｎ−ラウリルアスパラギン酸二アンモニウム、Ｎ−ミリスチルアスパラギン酸二アンモニウム、Ｎ−パルミチルアスパラギン酸二アンモニウム、Ｎ−ステアリルアスパラギン酸二アンモニウム、Ｎ−オレイルアスパラギン酸二アンモニウム、Ｎ−アラキジルアスパラギン酸二アンモニウム、Ｎ−ベヘニルアスパラギン酸二アンモニウム、Ｎ−イソステアリルアスパラギン酸二アンモニウム、Ｎ−ヤシ油アルキルアスパラギン酸二アンモニウム、Ｎ−パーム核油アルキルアスパラギン酸二アンモニウム、Ｎ−パーム油アルキルアスパラギン酸二アンモニウム、Ｎ−ｎ−デシルアスパラギン酸ビス（トリエタノールアミン）、Ｎ−ラウリルアスパラギン酸ビス（トリエタノールアミン）、Ｎ−ミリスチルアスパラギン酸ビス（トリエタノールアミン）、Ｎ−パルミチルアスパラギン酸ビス（トリエタノールアミン）、Ｎ−ステアリルアスパラギン酸ビス（トリエタノールアミン）、Ｎ−オレイルアスパラギン酸ビス（トリエタノールアミン）、Ｎ−アラキジルアスパラギン酸ビス（トリエタノールアミン）、Ｎ−ベヘニルアスパラギン酸ビス（トリエタノールアミン）、Ｎ−イソステアリルアスパラギン酸ビス（トリエタノールアミン）、Ｎ−ヤシ油アルキルアスパラギン酸ビス（トリエタノールアミン）、Ｎ−パーム核油アルキルアスパラギン酸ビス（トリエタノールアミン）、Ｎ−パーム油アルキルアスパラギン酸ビス（トリエタノールアミン）、Ｎ−ｎ−デシルアスパラギン酸（ナトリウム・カリウム）、Ｎ−ラウリルアスパラギン酸（ナトリウム・カリウム）、Ｎ−ミリスチルアスパラギン酸（ナトリウム・カリウム）、Ｎ−パルミチルアスパラギン酸（ナトリウム・カリウム）、Ｎ−ステアリルアスパラギン酸（ナトリウム・カリウム）、Ｎ−オレイルアスパラギン酸（ナトリウム・カリウム）、Ｎ−アラキジルアスパラギン酸（ナトリウム・カリウム）、Ｎ−ベヘニルアスパラギン酸（ナトリウム・カリウム）、Ｎ−イソステアリルアスパラギン酸（ナトリウム・カリウム）、Ｎ−ヤシ油アルキルアスパラギン酸（ナトリウム・カリウム）、Ｎ−パーム核油アルキルアスパラギン酸（ナトリウム・カリウム）、Ｎ−パーム油アルキルアスパラギン酸（ナトリウム・カリウム）等が例示される。
また、起泡性、泡質、水溶性及び保存安定性の観点から、Ｎ−ラウリルアスパラギン酸一ナトリウム、Ｎ−ラウリルアスパラギン酸一カリウム、Ｎ−ラウリルアスパラギン酸一トリエタノールアミン、Ｎ−ラウリルアスパラギン酸一アンモニウム、Ｎ−ミリスチルアスパラギン酸一ナトリウム、Ｎ−ミリスチルアスパラギン酸一カリウム、Ｎ−ミリスチルアスパラギン酸一トリエタノールアミン、Ｎ−ミリスチルアスパラギン酸一アンモニウム、Ｎ−パルミチルアスパラギン酸一ナトリウム、Ｎ−パルミチルアスパラギン酸一カリウム、Ｎ−パルミチルアスパラギン酸一トリエタノールアミン、Ｎ−パルミチルアスパラギン酸一アンモニウム、Ｎ−オレイルアスパラギン酸一ナトリウム、Ｎ−オレイルアスパラギン酸一カリウム、Ｎ−オレイルアスパラギン酸一トリエタノールアミン、Ｎ−オレイルアスパラギン酸一アンモニウム、Ｎ−ヤシ油アルキルアスパラギン酸一ナトリウム、Ｎ−ヤシ油アルキルアスパラギン酸一カリウム、Ｎ−ヤシ油アルキルアスパラギン酸一トリエタノールアミン、Ｎ−ヤシ油アルキルアスパラギン酸一アンモニウム、Ｎ−パーム核油アルキルアスパラギン酸一ナトリウム、Ｎ−パーム核油アルキルアスパラギン酸一カリウム、Ｎ−パーム核油アルキルアスパラギン酸一トリエタノールアミン、Ｎ−パーム核油アルキルアスパラギン酸一アンモニウム、Ｎ−パーム油アルキルアスパラギン酸一ナトリウム、Ｎ−パーム油アルキルアスパラギン酸一カリウム、Ｎ−パーム油アルキルアスパラギン酸一トリエタノールアミン、Ｎ−パーム油アルキルアスパラギン酸一アンモニウム、が推奨される。
これらは、本発明の洗浄剤組成物に１種で又は２種以上を適宜組み合わせて用いることができる。
【００２１】
本発明に係るアスパラギン酸誘導体において、一般式（１）における２つのＭ１が水素原子と水素原子以外のイオンとの組み合わせで表される誘導体が実質的に単一であるとき又は主成分であるときが、洗浄剤組成物に適した中性に近いｐＨになる点と適度な水溶性及び低温保存安定性を得やすい点から、本発明の洗浄剤組成物において推奨される好ましい態様である。
主成分のときの態様とは、２つのＭ１の組成比率、即ち水素原子と水素原子以外のイオンとの比率が、好ましくは水素原子：水素原子以外のイオン（当量比）＝３：１〜１：３（中和率で２５〜７５％）、より好ましくは２：１〜１：２（中和率で３３〜６７％）、特に好ましくは中和率として４０〜５２％の範囲にある態様である。
このときのアスパラギン酸誘導体は、２つのＭ１の一方が水素原子で他方が水素原子以外のイオンであるものと、２つのＭ１が両方とも水素原子であるもの、２つのＭ１が両方とも水素原子以外のイオンであるものが混在していると推定される。
【００２２】
本発明に係るアスパラギン酸誘導体は、特に限定はなく、市販されているものや公知の方法で製造されたものを使用することができる。例えば製造方法としては、特開平５−１４００５９号公報や特開２００１−２６７９５号公報に記載の方法で製造することができる。一例として、マレイン酸又はその塩と水及び／又は水と親和性を示す有機溶媒とを混合して比較的高濃度の状態とし、次いで所望する脂肪族第一級アミンを加えてから加熱して付加反応させ、反応終了後に反応溶媒を減圧留去して乾燥し、この乾燥粗物を粉砕して残存する未反応の脂肪族第一級アミンを溶媒で加熱洗浄除去して、最後に減圧乾燥して製造する方法、市販品である商品名「エヌジェボン ＡＳＰ−１２Ｈ」（新日本理化(株)製，Ｎ−ラウリルアスパラギン酸）や商品名「エヌジェボン ＡＳＰ−１４Ｈ」（新日本理化(株)製，Ｎ−ミリスチルアスパラギン酸）を直接用いる方法、前記市販品を水酸化ナトリウム、水酸化カリウム、トリエタノールアミン等を用いて一部又は全部を中和して「塩」を製造する方法（なお、本発明の洗浄剤組成物の調製過程で「塩」を生成させる方法を含む）などが例示される。  
【００２３】
本発明に係る成分（Ｂ）は、多価アルコールであり、水分保持性が良いため、洗浄後の感触がなめらかになる及び毛髪の乾燥後のコンディショニング効果の向上に寄与する。加えて洗浄剤組成物の保存安定性の向上にも寄与する。
【００２４】
成分（Ｂ）としては、具体的には、エチレングリコール、ジエチレングリコール、１，３−ブチレングリコール、プロピレングリコール、ジプロピレングリコール、イソペンチルジオール、ペンチレングリコール、ペンタエリスリトール、ジペンタエリスリトール、グリセリン、ジグリセリン、キシリトール、マルチトース、ソルビトールなどが挙げられ、好ましくは１，３−ブチレングリコール、プロピレングリコール、ジプロピレングリコール、イソペンチルジオール、グリセリン、キシリトール、マルチトース及びソルビトールが推奨される。さらに好ましくは、グリセリン、１，３−ブチレングリコール、プロピレングリコール及びジプロピレングリコールが推奨される。これらは、単独で又は２種以上を適宜組み合わせて配合することができる。
【００２５】
本発明に係る成分（Ｂ）は、通常、洗浄剤に配合され得るものであれば特に限定はなく、市販されているものや公知の方法で製造されたものを使用することができる。市販品としては、商品名「濃グリセリンＳ」（新日本理化（株）製，グリセリン）商品名「１，３−ブチレングリコールＰ」（ＫＨネオケム（株）製，１，３−ブチレングリコール）、商品名「１，３−ブチレングリコール」（ダイセル（株）製，１，３−ブチレングリコール）などが例示される。また、例えば「２０１４年１６５１４の化学商品（発行所；化学工業日報社，発行日２０１４年１月２８日）」にメーカーが記載されている。
【００２６】
本発明に係る成分（Ｃ）は、アルキルグルコシドであり、低刺激性のノニオン界面活性剤であり、増泡を補助し、起泡性の向上及び速泡性の向上に主に寄与する。
【００２７】
成分（Ｃ）としては、具体的には、オクチルグルコシド、デシルグルコシド、ラウリルグルコシドが推奨される。その中でも、デシルグルコシドが好ましい。これらは、単独で又は２種以上を適宜組み合わせて配合することができる。
【００２８】
本発明に係る成分（Ｃ）は、通常、洗浄剤に配合され得るものであれば特に限定はなく、市販されているものや公知の方法で製造されたものを使用することができる。市販品としては、商品名「マイドール  １０」（花王（株）製，デシルグルコシド）などが例示される。また、例えば「２０１４年１６５１４の化学商品（発行所；化学工業日報社，発行日２０１４年１月２８日）」にメーカーが記載されている。
【００２９】
本発明に係る成分（Ｄ）は、一般式（２）で表されるアルキルベタイン型界面活性剤である。成分（Ｄ）は、泡粘度が高く弾力性のある泡に寄与し、洗浄後の毛髪や皮膚になめらかさを与え、毛髪に使用した際は、乾燥後の毛髪に良好なコンディショニング効果を与える主要な成分となる。上記一般式（２）におけるＲ２は、炭素数８〜２２の直鎖状若しくは分岐鎖状のアルキル基又はアルケニル基であり、好ましくは炭素数１６〜２２の直鎖状若しくは分岐鎖状のアルキル基又はアルケニル基が推奨される。Ｒ３及びＲ４は、同一又は異なって、それぞれ炭素数１〜３の直鎖状若しくは分岐鎖状のアルキル基又はヒドロキシエチル基であり、好ましくはメチル基が推奨される。
【００３０】
本発明に係るアルキルベタイン型界面活性剤としては、具体的には、パルミチルジメチルアミノ酢酸ベタイン、ステアリルジメチルアミノ酢酸ベタイン、イソステアリルジメチルアミノ酢酸ベタイン、アラキジルジメチルアミノ酢酸ベタイン、ベヘニルジメチルアミノ酢酸ベタイン、パルミチルジ（ヒドロキシエチル）アミノ酢酸ベタイン、ステアリルジ（ヒドロキシエチル）アミノ酢酸ベタイン、イソステアリルジ（ヒドロキシエチル）アミノ酢酸ベタイン、アラキドイルジ（ヒドロキシエチル）アミノ酢酸ベタイン、オレイルジメチルアミノ酢酸ベタイン、ベヘニルジ（ヒドロキシエチル）アミノ酢酸ベタイン、ｎ−オクチルジメチルアミノ酢酸ベタイン、２−エチルヘキシルジメチルアミノ酢酸ベタイン、ｎ−デシルジメチルアミノ酢酸ベタイン、イソデシルジメチルアミノ酢酸ベタイン、ラウリルジメチルアミノ酢酸ベタイン、ミリスチルジメチルアミノ酢酸ベタイン、ラウリルジ（ヒドロキシエチル）アミノ酢酸ベタイン等が例示される。
より好ましくは、パルミチルジメチルアミノ酢酸ベタイン、ステアリルジメチルアミノ酢酸ベタイン、ベヘニルジメチルアミノ酢酸ベタイン、ラウリルジメチルアミノ酢酸ベタイン、ヤシアルキルジメチルアミノ酢酸ベタイン、ミリスチルジメチルアミノ酢酸ベタインが推奨される。これらは、単独で又は２種以上を適宜組み合わせて配合することができる。これらは、単独で又は２種以上を適宜組み合わせて用いることができる。
これらの中でも、特に泡質の向上及び水分保持への寄与、また皮膚洗浄に使用したときに洗浄後なめらかで、つっぱり感をなくす効果（又は顕著に低減させる効果）の観点から、ステアリルジメチルアミノ酢酸ベタインが好ましい。
【００３１】
本発明に係るアルキルベタイン型界面活性剤は、特に限定はなく、市販されているものや公知の方法で製造されたものを使用することができる。市販品としては、商品名「リカビオンＡ−７００」（新日本理化(株)製，ステアリルベタイン）、商品名「アンヒトール８６Ｂ」（花王(株)製，ステアリルベタイン）、商品名「リカビオンＡ−１００」（新日本理化(株)製，ラウリルベタイン）、商品名「リカビオンＡ−２００」（新日本理化(株)製，ミリスチルベタイン）、商品名「アンヒトール２０ＢＳ」（花王(株)製，ラウリルベタイン）、商品名「ニッサンアノンＢＬ」（日油(株)製，ラウリルベタイン）などが例示される。また、例えば「２０１６年版１６７１４６化学商品（発行所；化学工業日報社，発行日２０１６年１月２６日）」にも多くのメーカーが記載されている。
【００３２】
本発明に係る成分（Ｅ）は、一般式（３）で表されるアミドアルキルベタイン型界面活性剤であり、低刺激性の成分である。成分（Ｅ）は、泡粘度が高く弾力性のある泡に寄与し、洗浄後の毛髪や皮膚になめらかさを与え、毛髪に使用した際は、乾燥後の毛髪に良好なコンディショニング効果を与える主要な成分となる。特に洗浄後の毛髪や皮膚になめらかさを与え、低刺激性であることから、多様な用途に用いることができる。一般式（３）におけるＲ５は、炭素数７〜２１の直鎖状若しくは分岐鎖状のアルキル基又はアルケニル基であり、好ましくは炭素数９〜１７の直鎖状若しくは分岐鎖状のアルキル基又はアルケニル基が推奨される。また、Ｒ６は水素原子、炭素数１〜３の直鎖状若しくは分岐鎖状のアルキル基であり、好ましくは水素原子またはメチル基、より好ましくは水素原子が推奨される。Ｒ７及びＲ８は、同一又は異なって、それぞれ炭素数１〜３の直鎖状若しくは分岐鎖状のアルキル基又はヒドロキシエチル基であり、好ましくはメチル基が推奨される。ｐは、1〜４の整数であり、好ましくは２又は３、より好ましくは３が推奨される。
【００３３】
また、本発明に係るアミドアルキルベタイン型界面活性剤の具体例としては、ｎ−オクタン酸アミドプロピルジメチルアミノ酢酸ベタイン、２−エチルヘキサン酸アミドプロピルジメチルアミノ酢酸ベタイン、ｎ−デカン酸アミドプロピルジメチルアミノ酢酸ベタイン、イソデカン酸アミドプロピルジメチルアミノ酢酸ベタイン、ラウリン酸アミドプロピルジメチルアミノ酢酸ベタイン、ミリスチン酸アミドプロピルジメチルアミノ酢酸ベタイン、パルミチン酸アミドプロピルジメチルアミノ酢酸ベタイン、ステアリン酸アミドプロピルジメチルアミノ酢酸ベタイン、アラキジン酸アミドプロピルジメチルアミノ酢酸ベタイン、ベヘニン酸アミドプロピルジメチルアミノ酢酸ベタイン、オレイン酸アミドプロピルジメチルアミノ酢酸ベタイン、リノール酸アミドプロピルジメチルアミノ酢酸ベタイン、リノレン酸アミドプロピルジメチルアミノ酢酸ベタイン、イソステアリン酸アミドプロピルジメチルアミノ酢酸ベタイン、ヤシ油脂肪酸アミドプロピルジメチルアミノ酢酸ベタイン、パーム油脂肪酸アミドプロピルジメチルアミノ酢酸ベタイン、パーム核油脂肪酸アミドプロピルジメチルアミノ酢酸ベタイン、大豆油脂肪酸アミドプロピルジメチルアミノ酢酸ベタイン、牛脂脂肪酸アミドプロピルジメチルアミノ酢酸ベタイン、ラウリン酸アミドプロピルジ（ヒドロキシエチル）アミノ酢酸ベタイン、オレイン酸アミドプロピルジ（ヒドロキシエチル）アミノ酢酸ベタイン、ヤシ脂肪酸アミドプロピルジ（ヒドロキシエチル）アミノ酢酸ベタインなどが例示される。
より好ましくは、ラウリン酸アミドプロピルジメチルアミノ酢酸ベタイン、ミリスチン酸アミドプロピルジメチルアミノ酢酸ベタイン、ヤシ油脂肪酸アミドプロピルジメチルアミノ酢酸ベタイン、パーム核油脂肪酸アミドプロピルジメチルアミノ酢酸ベタインが推奨される。
これらは、単独で又は２種以上を適宜組み合わせて配合することができる。
【００３４】
前記例示の化合物の名称は、本技術分野では種々の慣用名が用いられる。例えば化粧品成分表示名称（日本化粧品工業連合会）によれば、ラウリン酸アミドプロピルジメチルアミノ酢酸ベタインはラウラミドプロピルベタイン、ヤシ油脂肪酸アミドプロピルジメチルアミノ酢酸ベタインはコカミドプロピルベタインとして表示されている。本明細書及び特許請求の範囲において、化合物の名称として慣用名で記載することがある。
【００３５】
前記アミドアルキルベタイン型界面活性剤は、特に限定はなく、市販されているものや公知の方法で製造されたものを使用することができる。市販品としては、商品名「リカビオンＢ−２００」（新日本理化(株)製，ヤシ脂肪酸アミドプロピル酢酸ベタイン）、商品名「リカビオンＢ−３００」（新日本理化(株)製，ラウリン酸アミドプロピル酢酸ベタイン）、商品名「アンヒトール２０ＡＢ」（花王(株)製，ラウリン酸アミドプロピル酢酸ベタイン）、商品名「アンヒトール５５ＡＢ」（花王(株)製，ヤシ酸アミドプロピル酢酸ベタイン）、商品名「ニッサンアノンＢＤＦ−ＳＦ」（日油(株)製，ヤシ油脂肪酸アミドプロピル酢酸ベタイン）、商品名「ニッサンアノンＢＤＣ−ＳＦ」（日油(株)製，パーム核油脂肪酸アミドプロピル酢酸ベタイン）、商品名「ニッサンアノンＢＤＬ−ＳＦ」（日油(株)製，ラウリン酸アミドプロピル酢酸ベタイン）などが例示される。また、例えば「２０１６年版１６７１４６化学商品（発行所；化学工業日報社，発行日２０１６年１月２６日）」にも多くのメーカーが記載されている。
【００３６】
本発明に係るアミドアルキルベタイン型界面活性剤の中でも、成分（Ｄ）のハンドリング性を良くすること、また洗浄後の毛髪や皮膚の感触がなめらかであるという観点から、ラウリン酸アミドプロピルジメチルアミノ酢酸ベタイン、ヤシ油脂肪酸アミドプロピルジメチルアミノ酢酸ベタイン及びミリスチン酸アミドプロピルジメチルアミノ酢酸ベタインが特に好ましい。
【００３７】
成分（Ｄ）と成分（Ｅ）の使用方法としては、本発明の効果を奏する限り、成分（Ｄ）と成分（Ｅ）を単独でまたは組み合わせて使用することができる。より好ましい態様としては、（ｉ）一般式（２）においてＲ２が炭素数１６〜２２で表される長鎖アルキルベタイン型界面活性剤成分と一般式（２）においてＲ２が炭素数８〜１２で表される中鎖アルキルベタイン型界面活性剤成分との組み合せ、（ii）前記長鎖アルキルベタイン型界面活性剤成分と成分（Ｅ）との組み合わせ、（iii）前記長鎖アルキルベタイン型界面活性剤成分と前記中鎖アルキルベタイン型界面活性剤成分と成分（Ｅ）との組み合わせ、で使用する方法が推奨される。
より具体的な組み合わせとしては、長鎖アルキルベタイン型界面活性剤成分としてパルミチルジメチルアミノ酢酸ベタイン、ステアリルジメチルアミノ酢酸ベタイン及びベヘニルジメチルアミノ酢酸ベタインからなる群より選ばれる少なくとも一種と中鎖アルキルベタイン型界面活性剤成分としてラウリルジメチルアミノ酢酸ベタイン、ヤシアルキルジメチルアミノ酢酸ベタイン及びミリスチルジメチルアミノ酢酸ベタインからなる群より選ばれる少なくとも一種との組み合わせ：長鎖アルキルベタイン型界面活性剤成分としてパルミチルジメチルアミノ酢酸ベタイン、ステアリルジメチルアミノ酢酸ベタイン及びベヘニルジメチルアミノ酢酸ベタインからなる群より選ばれる少なくとも一種と成分（Ｅ）としてラウリン酸アミドプロピルジメチルアミノ酢酸ベタイン、ヤシ油脂肪酸アミドプロピルジメチルアミノ酢酸ベタイン及びミリスチン酸アミドプロピルジメチルアミノ酢酸ベタインからなる群より選ばれる少なくとも一種との組み合わせ：長鎖アルキルベタイン型界面活性剤成分としてパルミチルジメチルアミノ酢酸ベタイン、ステアリルジメチルアミノ酢酸ベタイン及びベヘニルジメチルアミノ酢酸ベタインからなる群より選ばれる少なくとも一種と中鎖アルキルベタイン型界面活性剤成分としてラウリルジメチルアミノ酢酸ベタイン、ヤシアルキルジメチルアミノ酢酸ベタイン及びミリスチルジメチルアミノ酢酸ベタインからなる群より選ばれる少なくとも一種と成分（Ｅ）としてラウリン酸アミドプロピルジメチルアミノ酢酸ベタイン、ヤシ油脂肪酸アミドプロピルジメチルアミノ酢酸ベタイン及びミリスチン酸アミドプロピルジメチルアミノ酢酸ベタインからなる群より選ばれる少なくとも一種との組み合わが推奨される。特に好ましくは、成分（Ｄ）としてステアリルベタイン（即ち、ステアリルジメチルアミノ酢酸ベタイン）と、成分（Ｅ）としてラウラミドプロピルベタイン（即ち、ラウリン酸アミドプロピルジメチルアミノ酢酸ベタイン）との組み合わせが推奨される。
【００３８】
本発明にかかるアニオン界面活性剤として、脂肪酸石けん、アルキル硫酸塩、ポリオキシエチレンアルキルエーテル硫酸塩、ポリオキシエチレン脂肪酸モノエタノールアミドエーテル硫酸塩、コハク酸系界面活性剤（ポリオキシエチレンスルホコハク酸モノアルキルエーテルエステル塩等）、アミノ酸系界面活性剤（Ｎ−アシルグリシン塩、Ｎ−アシルサルコシン塩、Ｎ−アシルアラニン塩、Ｎ−アシル−Ｎ−メチルアラニン塩、Ｎ−アシル−Ｌ−グルタミン酸塩、Ｎ−アシル−Ｌ−アスパラギン酸塩、Ｎ−脂肪族アシル−Ｎ−メチルタウリン塩等）、イセチオン酸エステル塩、モノアルキルリン酸エステル塩、ポリオキシエチレンモノアルキルエーテルリン酸エステル塩などが挙げられる。
【００３９】
具体的には、炭素数１０〜２０の脂肪酸石けん、アルキル（Ｃ８〜２２）硫酸塩、ポリオキシエチレン（１〜５）アルキル（Ｃ８〜２２）エーテル硫酸塩、炭素数８〜１８の脂肪族アシル基を有するポリオキシエチレン（１〜５）脂肪酸モノエタノールアミドエーテル硫酸塩、炭素数８〜１８のアルキル基（又はアルケニル基）を有するポリオキシエチレン（１〜５）スルホコハク酸モノアルキル（又はアルケニル）エーテルエステル塩、炭素数８〜２０の親油基を有するα−オレフィンスルホン酸塩、炭素数８〜１８の脂肪酸由来の脂肪酸塩、炭素数８〜１８のアルキル基（又はアルケニル基）を有するポリオキシエチレン（１〜７）アルキル（又はアルケニル基）エーテル酢酸塩、炭素数８〜１８の脂肪族アシル基を有するポリオキシエチレン脂肪酸モノエタノールアミドエーテル酢酸塩、炭素数８〜１８の脂肪酸由来の脂肪族アシルアミノ酸塩（Ｎ−アシルグリシン塩、Ｎ−アシルサルコシン塩、Ｎ−アシルアラニン塩、Ｎ−アシル−Ｎ−メチルアラニン塩、Ｎ−アシル−Ｌ−グルタミン酸塩、Ｎ−アシル−Ｌ−アスパラギン酸塩）、炭素数８〜１８の脂肪族アシル基を有するＮ−脂肪族アシル−Ｎ−メチルタウリン塩、炭素数８〜１８の脂肪族アシル基を有するイセチオン酸エステル塩、炭素数８〜１８のアルキル基を有するモノアルキルリン酸エステル塩、炭素数８〜１８のアルキル基を有するポリオキシエチレン（１〜７）モノアルキルエーテルリン酸エステル塩などが挙げられる。その中でも、脂肪酸石けん、ポリオキシエチレン（１〜５）アルキル（Ｃ８〜２２）エーテル硫酸塩が好ましく、特に好ましくは、脂肪酸（炭素数８〜２２）石けん、ポリオキシエチレン（２〜３）ラウリルエーテル硫酸ナトリウム、ポリオキシエチレン（２〜３）ラウリルエーテル硫酸カリウムである。前記アニオン界面活性剤を構成する対カチオンは、アルカリ金属イオン（リチウムイオン、ナトリムイオン、カリウムイオン等）、アンモニウムイオン、有機アンモニウムイオン等が例示され、好ましくはナトリムイオン、カリウムイオンが推奨される。なお、本明細書及び特許請求の範囲において、「オキシエチレン」に続く括弧内の数字は、オキシエチレン基の平均付加モル数を意味する。また「アルキル」に続く括弧内の「Ｃ数字」は、アルキル基の炭素数を意味する。
【００４０】
脂肪酸石けんの具体例としては、脂肪酸アルカリ金属塩が例示され、その脂肪酸部位の炭素数は、好ましくは１０〜２０、より好ましくは１２〜１８である。炭素数９以下では刺激が強くなる傾向にあり、炭素数２１以上では泡立ちが悪くなる傾向にある。該脂肪酸部位に対応する脂肪酸としては、具体的には、ラウリン酸、ミリスチン酸、パルミチン酸、ステアリン酸、ヤシ油脂肪酸、硬化牛脂脂肪酸、イソステアリン酸、オレイン酸、ヒマシ油脂肪酸、オリーブ油脂肪酸、パーム油脂肪酸およびこれらを含む混合脂肪酸を挙げることができる。前記脂肪酸は飽和および不飽和のいずれでも良く、また分岐脂肪酸でも直鎖脂肪酸でも良い。また、アルカリ金属の部位に関してはカリウム、ナトリウムであることが好ましい。
【００４１】
脂肪酸石けんの市販品としては、商品名「アルホーム Ｋ−１００」（新日本理化(株)製，ヤシ油脂肪酸カリウム）、などが例示される。
【００４２】
ポリオキシエチレン（１〜５）アルキル（Ｃ８〜２２）エーテル硫酸塩の市販品としては、商品名「シノリンＳＰＥ−１３００」（新日本理化(株)製，ポリオキシエチレン（３）ラウリル硫酸ナトリウム）、商品名「エマール２０Ｃ」（花王(株)製，ポリオキシエチレン（３）ラウリルエーテル硫酸ナトリウム）などが例示される。また、例えば「２０１６年版１６７１４６化学商品（発行所；化学工業日報社，発行日２０１６年１月２６日）」にも多くのメーカーが記載されている。
【００４３】
本発明にかかるノニオン界面活性剤として、アルキルグリセリルエーテル、ポリオキシアルキレンアルキルエーテル、ポリオキシアルキレングリセリルエーテル、ポリオキシアルキレンアルキルフェニルエーテル、ポリオキシアルキレンソルビタン脂肪酸エステル、ポリオキシアルキレングリコール脂肪酸エステル、アルキルポリグリコシド、アルカノールアミド、ポリオキシエチレン脂肪酸アルカノールアミド、アルキルグルコシドなどが挙げられる。好ましい態様として、前述の通り、アルキルグルコシド（成分（Ｃ））を必須成分として含有するノニオン界面活性剤として使用する態様が推奨される。
【００４４】
具体的には、例えば、アルキル（Ｃ１２〜１８）グリセリルエーテル、炭素数８〜１８の脂肪族アシル基を有するアルカノールアミド、炭素数８〜１８の脂肪族アシル基を有するポリオキシエチレン（１〜１０）脂肪酸アルカノールアミド、炭素数８〜１８のアルキル基を有するポリオキシエチレン（１〜２０）アルキルエーテル、炭素数８〜１４のアルキル基又はポリオキシエチレン（１〜７）アルキルエーテル基を有するアルキルポリグリコシドなどが挙げられ、炭素数８〜１８の脂肪族アシル基を有するアルカノールアミド、炭素数８〜１８の脂肪族アシル基を有するポリオキシエチレン（１〜１０）脂肪酸アルカノールアミドが好ましく、特に好ましくは、ラウリン酸モノエタノールアミド、ミリスチン酸モノエタノールアミド、ヤシ油脂肪酸モノエタノールアミド、パーム核油脂肪酸モノエタノールアミド、ラウリン酸ジエタノールアミド、ミリスチン酸ジエタノールアミド、ヤシ油脂肪酸ジエタノールアミド、パーム核油脂肪酸ジエタノールアミド、ラウリン酸イソプロパノールアミド、ミリスチン酸イソプロパノールアミド、ヤシ油脂肪酸イソプロパノールアミド、パーム核油脂肪酸イソプロパノールアミド、ラウリン酸ポリオキシエチレン（１〜６）モノエタノールアミド、ミリスチン酸ポリオキシエチレン（１〜６）モノエタノールアミド、ヤシ油脂肪酸ポリオキシエチレン（１〜６）モノエタノールアミド、パーム核油脂肪酸ポリオキシエチレン（１〜６）モノエタノールアミドが推奨される。
【００４５】
市販品としては、商品名「アミゾールＣＭＥ」（川研ファインケミカル(株)製），ヤシ脂肪酸モノエタノールアミド）、商品名「アミゾールＣＤＥ」（川研ファインケミカル（株）製，ヤシ油脂肪酸ジエタノールアミド）、商品名「アミノーンＬ−０２」（花王（株）製，ラウリン酸ジエタノールアミド）などが例示される。また、例えば「２０１６年版１６７１４６化学商品（発行所；化学工業日報社，発行日２０１６年１月２６日）」にも多くのメーカーが記載されている。
【００４６】
本発明の洗浄剤組成物における成分（Ａ）、成分（Ｂ）の含有量とそれらの組成比を次のような範囲とすることにより、豊かな泡量及びきめ細かな泡質に優れ、すすぎ性（泡切れ）の良好な洗浄剤で、加えて起泡性と速泡性が良好な洗浄剤組成物となる。さらに、洗浄後の毛髪や皮膚がなめらかで、保存安定性が良好であり、これらの種々の効果をより優位に発揮することができる。
【００４７】
成分（Ａ）の含有量は、アニオン界面活性剤及びノニオン界面活性剤からなる群より選ばれる少なくとも一種の界面活性剤の総重量に対して、好ましくは０．１重量％以上、より好ましくは１重量％以上である。また、前記界面活性剤の総重量／成分（Ａ）含有量の比率（重量比）は１／３０〜５／１の範囲、より好ましくは１／２０〜２／１の範囲が推奨される。さらに、前記含有量の範囲でかつ前記含有量の比率とすることにより、本発明の効果がより優位に発揮することができる。
また、成分（Ａ）含有量は、洗浄剤組成物の総重量に対しては、好ましくは０．１〜３０重量％、より好ましくは１〜２０重量％が推奨される。
【００４８】
成分（Ｂ）の含有量は、洗浄剤組成物の総重量に対して、好ましくは１〜３０重量％、より好ましくは１〜２０重量％が推奨される。
【００４９】
成分（Ａ）と成分（Ｂ）の含有量の比率（重量比）は、好ましくは（Ａ）／（Ｂ）＝１／４０〜１０／１の範囲、より好ましくは（Ａ）／（Ｂ）＝１／３０〜８／１の範囲、さらに好ましくは（Ａ）／（Ｂ）＝１／１０〜６／１の範囲が推奨される。
【００５０】
アニオン界面活性剤及びノニオン界面活性剤の含有量として、洗浄剤組成物の総重量に対して、それぞれ、好ましくは０〜３５重量％、０〜１０重量％、より好ましくは０．１〜１０重量％、１〜１０重量％、（但し、アニオン界面活性剤とノニオン界面活性剤が同時に０重量％とはならない。）の範囲が推奨される。そして、成分（Ａ）とアニオン界面活性剤とノニオン界面活性剤との合計の含有量は、洗浄剤組成物の総重量に対して、好ましくは１〜５５重量％、より好ましくは４〜５０重量％の範囲が推奨される。
【００５１】
上記成分（Ｃ）の含有量は、洗浄剤組成物の総重量に対して、好ましくは０．０５〜１５重量％、より好ましくは、０．１〜１０重量％の範囲が推奨される。
【００５２】
上記成分（Ｄ）及び成分（Ｅ）の含有量は、洗浄剤組成物の総重量に対して、それぞれ好ましくは０．０５〜２０重量％、より好ましくは０．１〜１０重量％の範囲が推奨される。
また、成分（Ｄ）と成分（Ｅ）の二者を組み合わせて使用する場合、その成分（Ｄ）／成分（Ｅ）の比率（重量比）は、好ましくは１／９〜７／３の範囲、より好ましくは３／７〜７／３の範囲が推奨される。
さらに、前記長鎖アルキルベタイン型界面活性剤成分と前記中鎖アルキルベタイン型界面活性剤成分及び／又は成分（Ｅ）との組み合わせの使用態様においては、（ｉ）長鎖アルキルベタイン型界面活性剤成分と中鎖アルキルベタイン型界面活性剤成分との組み合せにおける両者の比率（重量比）は、好ましくは１／９〜７／３の範囲、より好ましくは３／７〜７／３の範囲が推奨され、（ii）前記長鎖アルキルベタイン型界面活性剤成分と成分（Ｅ）との組み合わせにおける両者の比率（重量比）は、好ましくは１／９〜７／３の範囲、より好ましくは３／７〜７／３の範囲が推奨され、（iii）前記長鎖アルキルベタイン型界面活性剤成分と前記中鎖アルキルベタイン型界面活性剤成分と成分（Ｅ）との組み合わせにおける三者の比率（重量比）は、好ましくは１／４／５〜７／１／２の範囲、より好ましくは３／３／４〜７／１／２の範囲が推奨される。
前記組合せのうち、より好ましい態様は前記（ii）の組合せとその比率（重量比）が推奨される。
【００５３】
本発明の洗浄剤組成物は、毛髪洗浄剤、頭皮洗浄料、ボディソープ、ハンドソープ、洗顔料等の用途に極めて有用であり、その剤形は、液状、乳液状、クリーム状、ゲル状、泡状等のいずれの形態を所望の用法に応じて選択することができる。
【００５４】
本発明の洗浄剤組成物のｐＨ（２５℃）は、４〜１１が好ましく、さらには４〜１０が好ましい。
【００５５】
本発明の洗浄剤組成物の調製方法としては、特に限定されず、本技術分野で使用されている方法が適用でき、適宜調製方法を選択して調製することができる。例えば、予め調製した所定量の成分（Ａ）の水溶液と、予め混合した所定量の成分（Ｄ）と成分（Ｅ）と、アニオン界面活性剤及び／又はノニオン界面活性剤と、さらには成分（Ｃ）や成分（Ｂ）と、必要に応じて所望量の水（工程剤,バランス剤）や後述の他の成分とを混合することにより、調製することができる。前記の水とは、水道水、イオン交換水、蒸留水、純水、精製水等を含めた総称である。
より具体的には、例えば、（i）アニオン界面活性剤及び／又はノニオン界面活性剤と、成分（Ｂ）と、必要に応じて所望量の水（工程剤,バランス剤）や後述の他の成分とを混合した後、成分（Ａ）の水溶液、成分（Ｄ）、成分（Ｅ）及び成分（Ｃ）を加えてさらに混合して洗浄剤組成物とする方法や、（ii）成分（Ｄ）と成分（Ｅ）を混合した後、成分（Ｃ）を加え、次いで成分（Ａ）の水溶液、成分（Ｂ）並びにノニオン界面活性剤及び／又はノニオン界面活性剤、必要に応じて所望量の水（工程剤,バランス剤）や後述の他の成分を加えてさらに混合して洗浄剤組成物とする方法、（iii）Ｎ−アルキルアスパラギン酸と成分（Ｂ）と、アルカリ金属と、ノニオン界面活性剤及び／又はノニオン界面活性剤と、必要に応じて所望量の水（工程剤,バランス剤）や後述の他の成分とを混合し、Ｎ−アルキルアスパラギン酸の一部又は全部を中和しながら、さらに成分（Ｃ）、成分（Ｄ）及び成分（Ｅ）を加えて混合する方法などが例示される。成分（Ｄ）及び成分（Ｅ）を使用する場合は、予め混合しておく方法が、成分（Ｄ）のハンドリング性が改良される点で推奨される方法である。なお、前記成分（Ａ）の水溶液は、例えば、Ｎ−アルキルアスパラギン酸誘導体を水に溶解させたり、Ｎ−アルキルアスパラギン酸をアルカリ金属の水溶液に加えて一部又は全部を中和させたりして、調製することができる。
また、アニオン界面活性剤として脂肪酸石けんを使用する場合であって、中和が完了した脂肪酸アルカリ金属塩（中和率１００％）を使用するときは、その脂肪酸アルカリ金属塩と必要成分や所望の成分とを、必要であれば加熱をして、攪拌・混合して、均一になったのを確認し、攪拌を続けながら、冷却し製造する方法や、脂肪酸石けんを調製する方法として、脂肪酸と水酸化カリウム等のアルカリ金属を別々に用意し、必要成分や所望の成分と一緒に加熱撹拌して、洗浄剤組成物を調製する過程で、中和して脂肪酸石けん（脂肪酸アルカリ金属塩）を生成させて、該組成物を調製する方法であってもよい。このとき、脂肪酸の中和率を７５〜９５％の範囲として脂肪酸の一部残存させておく（即ち、洗浄剤組成物に脂肪酸を含有させておくこと。）場合は、保湿性の向上に寄与する傾向が認められ、好ましい態様と言える。
なお、本発明の洗浄剤組成物は、実質的に水を含有している。水は、必要に応じて配合するが、本発明に係る各成分が水溶液の形態のときはそのまま使用し、また混合に際して水が必要な場合は、水を適宜加えて混合することが推奨される。
【００５６】
本発明の洗浄剤組成物には、本発明に係るアニオン界面活性剤、ノニオン界面活性剤及び成分（Ａ）〜（Ｅ）の他に、一般的に洗浄剤組成物に配合される「他の成分」を、本発明の効果が奏する範囲で配合することができる。
他の成分としては、例えば、カチオン界面活性剤、半極性界面活性剤、両性界面活性剤、ポリアルキレングルコール、無機塩類、油性成分、カチオン性ポリマー、高級アルコール、パール化剤、乳化剤、分散剤、保湿剤、増粘剤、減粘剤、粘度調整剤、起泡助剤、泡増強剤、泡調整剤、溶媒、キレート剤、ｐＨ調整剤、酸化防止剤、抗菌・防腐剤、色素（着色剤）、その他ビタミン類、天然エキス、香料、スクラブ剤、精製水など（但し、当該他の成分は、本発明に係るアニオン界面活性剤、ノニオン界面活性剤及び成分（Ａ）〜（Ｅ）を除く。）を配合することができる。
【００５７】
カチオン界面活性剤として、塩化アルキルトリメチルアンモニウム、塩化ジアルキルジメチルアンモニウムなどが挙げられる。
【００５８】
半極性界面活性剤として、アミンオキシドが挙げられ、アミンオキシドとして、オクチルジメチルアミンオキシド、デシルジメチルアミンオキシド、ラウリルジメチルアミンオキシド、ミリスチルジメチルアミンオキシド、パルミチルジメチルアミンオキシド、ステアリルジメチルアミンオキシド、オレイルジメチルアミンオキシド、ベヘニルジメチルアミンオキシド、アルキルエーテルジメチルアミンオキシド、高級脂肪酸アミドプロピルアミンオキシド、エチレンオキシド付加アミンオキシド等が挙げられる。
【００５９】
両性界面活性剤として、炭素数８〜１８を有する脂肪酸由来のイミダゾリニウムベタイン型両性界面活性剤、２−アルキル−Ｎ’−カルボキシメチル−Ｎ’−ヒドロキシエチルイミダゾニウムベタイン、炭素数８〜１８のアルキル基を有するＮ−アルキルアミノジ酢酸塩、Ｎ−アルキルアミノジプロピオン酸塩、Ｎ−アルキルジアミノエチルグリシン塩などのＮ−アルキルアミノ酸型両性界面活性剤、アルキルヒドロキシスルホベタイン、脂肪酸アミドプロピルヒドロキシスルホベタイン等のスルホベタイン型両性界面活性剤等が挙げられる。
【００６０】
ポリアルキレングルコールとして、ポリエチレングリコール、ポリプロピレングリコール等が挙げられる。
【００６１】
無機塩類としては、硫酸ナトリウム、塩化ナトリウム、塩化カリウム等が挙げられる。
【００６２】
カチオン性ポリマーとして、カチオン化多糖、カチオン化ポリペプチド、アクリルアミド・アクリル酸・塩化ジメチルジアリルアンモニウム共重合体、ポリ塩化ジメチルメチレンピペリジニウムなどが挙げられる。
【００６３】
油性成分として、多価アルコール脂肪酸エステル、ポリオキシアルキレン多価アルコール脂肪酸エステル、植物油脂、動物由来油脂、鉱物油などが挙げられる。
【００６４】
高級アルコールとして、ステアリルアルコール、コレステロール、フィトステロールなどが挙げられる。
【００６５】
高級脂肪酸として、ラウリン酸、ミリスチン酸、パルミチン酸、ステアリン酸、オレイン酸などが挙げられる。
【００６６】
起泡助剤（泡増強剤）としては、上記他の成分に例示した界面活性剤の中にも同様の機
能を有する場合もあるが、例えば上記のアルカノールアミドなどが例示される。具体的に
は、ヤシ油脂肪酸、パーム核油脂肪酸、ラウリン酸を主体とする脂肪酸由来の脂肪酸エタノールアミド類が推奨される。
【００６７】
パール化剤として、エチレングリコールジステアリン酸エステル、マイカなどが挙げられる。
【００６８】
保湿剤として、ムコ多糖、ヒアルロン酸、コンドロイチン硫酸、キトサン、セラミド、コレステロール、ポリオキシエチレングリコール（ＰＥＧ１５００）、ＰＥＧ−６０水添ヒマシ油、ベタイン（トリメチルグリシン）などが挙げられる。特に、高保湿性成分として、ベタインが挙げられ、市販品としては旭化成(株)の「アミノコート」が挙げられる。
【００６９】
増粘剤として、メチルセルロース、エチルセルロース、アラビアガム、ポリビニルアルコール、ポリオキシエチレン（６０）セチルステアリルジエーテルなどが挙げられる。
【００７０】
溶媒として、エタノール、水などが挙げられる。
【００７１】
酸化防止剤として、ブチルヒドロキシトルエン、トコフェロール、フィチン酸などが挙げられる。
【００７２】
抗菌剤・防腐剤として、安息香酸、サリチル酸、ソルビン酸、パラオキシ安息香酸エステル、ヘキサクロロフェン、フェノキシエタノールなどが挙げられる。
【００７３】
コーティングやすべりをよくするために、ジメチルポリシロキサンなどのシリコン類などが挙げられる。
【００７４】
その他に、グリシン、アラニンなどのアミノ酸又はこれらの塩、ビタミンＡ及びその誘導体、ビタミンＢ２及びその誘導体、ビタミンＣ類及びその誘導体、ビタミンＥ類、ビタミンＤ類、ビタミンＨ、パントテン酸、パンテチンなどのビタミン類、ニコチン酸アミド、ニコチン酸ベンジル、γ―オリザノール、アラントイン、グリチルリチン酸（塩）、グリチルレチン酸及びその誘導体などの各種薬剤、センブリ、トウキ、ユーカリなどの有機溶剤、アルコール、多価アルコール、水、水性アルコールなどで抽出した天然エキス、香料、スクラブ剤、精製水などを配合することができる。
【実施例】
【００７５】
以下、実施例を挙げて本発明を具体的に説明するが、これらに限定されるものではない。なお、各実施例及び比較例における分析・評価は以下の方法で行った。実施例等で使用した組成成分は、市販品、試薬又は下記の調製品を用いた。
【００７６】
［ｐＨ］
本発明の洗浄剤組成物のｐＨは、ｐＨメーター（（株）堀場製作所製Ｆ−５２、電極型式９６１５−１０Ｄ）を用いて、２５℃で測定した。
【００７７】
［起泡性・速泡性］
本発明の洗浄剤組成物を０．５ｇ秤量し、イオン交換水で１０ｇ加えて希釈した。次いで、その希釈した洗浄剤組成物を容器（内径約６ｃｍ×高さ約７０ｍｍ）に取り、泡立て器（ＨＡＲＩＯ ＣＺ−１）で３秒間、１０秒間、６０秒間攪拌し、それぞれ、３秒間、１０秒間、６０秒間攪拌直後の泡高さを目視で読み取った。３秒間攪拌時の泡高が高ければ、良好な速泡性があると評価でき、６０秒間攪拌時の泡高が高ければ、良好な起泡性がある。
式（１）を用いて速泡力（％）を算出した。速泡力の数値が大きいほど速泡性に優れることを示す。
速泡力（％）＝（３秒後の泡高／６０秒後の泡高）×１００                      （１）
【００７８】
［泡密度］
本発明の洗浄剤組成物を０．５ｇ秤量し、イオン交換水で１０ｇ加えて希釈した。次いで、その希釈した洗浄剤組成物をミルサー（岩谷産業（株）製Ｉｗａｔａｎｉ  ＩＦＭ−６５０Ｄ）のミル容器（内径約６ｃｍ×高さ約７０ｍｍ）に取り、１０秒間撹拌した。泡の部分を２０ｍｌのビーカーに取り出し、２５℃で重量を測定し泡密度(ｇ／ｍｌ)を算出した。泡密度が高いほど、泡がきめ細かいと評価できる。
【００７９】
［泡粘度］
本発明の洗浄剤組成物を０．５ｇ秤量し、イオン交換水で１０ｇ加えて希釈した。次いで、その希釈した洗浄剤組成物をミルサー（岩谷産業（株）製Ｉｗａｔａｎｉ  ＩＦＭ−６５０Ｄ）のミル容器（内径約６ｃｍ×高さ約７０ｍｍ）に取り、１０秒間撹拌した。泡の部分を２０ｍｌビーカーに取り出し、２５℃、Ｂ型粘度計で粘度(ｍＰａ・ｓ)を測定した。泡粘度が高いほど、泡に弾力性があると評価できる。
【００８０】
［官能評価］
本発明の洗浄剤組成物をシャンプー用組成物及び泡洗顔料組成物として実使用したときの使用感について官能評価を行い、下記のそれぞれの判定基準に従って判定した。
＜泡質の判定基準＞
◎：泡質がきめ細かい    
○：泡質がややきめ細かい    
△：泡質がやや粗い          
×：泡質が粗い                  
＜泡立ち（速泡性）の判定基準＞
◎：泡立ちが速い            
○：泡立ちやや速い          
△：泡立ちがやや遅い        
× ：泡立ちが遅い
＜泡量（起泡性）の判定基準＞      
◎：泡立ちが良い（泡量が多い）
○：泡立ちやや良い（泡量が多い）
△ ：泡立ちがやや悪い（泡量がやや少ない）
×：泡立ちが悪い（泡量が少ない）
＜泡切れ（すすぎ性）の判定基準＞
◎：泡切れが良い            
○：泡切れがやや良い        
△：泡切れがやや悪い        
×：泡切れが悪い            
＜洗浄性の判定基準＞
◎：洗浄性が良い            
○：洗浄性がやや良い        
△：洗浄性がやや悪い        
× ：洗浄性が悪い            
＜感触の判定基準＞
◎：洗浄後の毛髪または皮膚がなめらか
○：洗浄後の毛髪または皮膚がややなめらか
△：洗浄後の毛髪または皮膚がややなめらかでない
×：洗浄後の毛髪または皮膚がなめらかでない
＜皮膚のさっぱり感の判定基準＞
◎：タオルドライ後のさっぱり感がある            
○：タオルドライ後のさっぱり感がややある        
△：タオルドライ後のさっぱり感があまりない      
× ：タオルドライ後のさっぱり感がない
＜コンディショニング効果の判定基準＞
◎：乾燥後の感触が滑らかであり、櫛に引っかかり感がない
○：乾燥後の感触が滑らかであり、櫛に引っかかり感が少ない
△：乾燥後の感触が滑らかであり、櫛に引っかかり感がある
×：乾燥後の感触が滑らかでなく、櫛に引っかかり感がある
【００８１】
［実施例１］
＜シャンプー用組成物＞
表１に記載の組成成分及び組成比率（重量％）に従って、本発明の洗浄剤組成物を調製し、その得られた洗浄剤組成物をシャンプー用組成物として評価した。調製方法は、次の通りである。水酸化ナトリウム、1、３−ブチレングリコール、ジメチコン、ポリクオタニウム−７、ポリクオタニウム−１０及びイオン交換水を混合したものを５０℃に加温し、撹拌を続けながらＮ−ミリスチルアスパラギン酸を加え、さらに７０℃まで加温した後、卓上ホモミキサーを用いて撹拌した。次いで、予めＮ−ラウリルアスパラギン酸を水酸化カリウムのイオン交換水溶液で中和して調製しておいたＮ−ラウリルアスパラギン酸のカリウム塩水溶液を加え、次いで、ステアリルベタイン、ラウリン酸アミドプロピルベタイン、ココアンホ酢酸ナトリウム及びデシルグルコシドを加え、撹拌を続けながら３０℃まで冷却し、本発明の洗浄剤組成物を得た。得られた洗浄剤組成物の性能評価等の結果を表２に記載した。
［実施例２］
＜泡洗顔料用組成物＞
表１に記載の組成成分及び組成比率（重量％）に従って、本発明の洗浄剤組成物を調製し、得られた洗浄剤組成物を泡洗顔料用組成物として評価した。調製方法は、次の通りである。脂肪酸石けん原料の脂肪酸を水酸化カリウムのイオン交換水溶液で中和して得られた脂肪酸石けんのイオン交換水溶液と、プロピレングリコールと、グリセリン、トリメチルグリシン、ポリオキシエチレンセチルステアリルジエーテル、ＰＥＧ−６０水添ヒマシ油及びイオン交換水と混合したものとを、それぞれ８０℃に加温し、予めＮ−ラウリルアスパラギン酸及びＮ−ミリスチルアスパラギン酸を水酸化カリウムのイオン交換水溶液で中和して調製しておいたＮ−ラウリルアスパラギン酸及びＮ−ミリスチルアスパラギン酸のカリウム塩水溶液を加え、次いで、デシルグルコシド、ラウロイルメチルアラニンナトリウムを加え、撹拌を続けながら冷却した。次いで、クエン酸を加え、本発明の洗浄剤組成物を得た。得られた洗浄剤組成物の性能評価等の結果を表２に記載した。
［比較例１］
＜洗顔料用組成物＞
表１に記載の組成成分及び組成比率（重量％）に従って、本発明外の洗浄剤組成物を調製した。調製方法は、次の通りである。脂肪酸石けん原料の脂肪酸を水酸化カリウムのイオン交換水溶液で中和して得られた脂肪酸石けんのイオン交換水溶液と、グリセリン、ジステアリン酸ＰＥＧ−１５０、コカミドＭＥＡ、ＰＥＧ-１５００、ジステアリン酸グリコール及びイオン交換水と混合して、本発明外の洗浄剤組成物を得た。得られた組成物の性能評価等の結果を表２に記載した。
［実施例３］
実施例１及び実施例２の洗浄剤組成物の保存安定性試験を行った。保存条件としては、５℃、室温、４０℃で１ヵ月間実施した。いずれも外観の性状に変化はなく、良好であった。
【００８２】
［成分（Ａ）］
・Ｎ−ラウリルアスパラギン酸；商品名「エヌジェボンＡＳＰ−１２Ｈ」（新日本理化(株)製）
・Ｎ−ミリスチルアスパラギン酸；商品名「エヌジェボンＡＳＰ−１４Ｈ」（新日本理化(株)製）
・水酸化カリウム（ナカライテスク(株)製，試薬特級，有効成分量８５％）
・水酸化ナトリウム（ナカライテスク(株)製，試薬特級，有効成分量９７％）
［成分（Ｂ）］
・１，３−ブチレングリコール；商品名「１，３−ブチレングリコール−Ｐ」（ＫＨネオケム(株)製）
・プロピレングリコール；商品名「ＰＧ」（ダウ・ケミカル日本（株）製）
・グリセリン；商品名「濃グリセリンＳ」（新日本理化(株)製）
［成分（Ｃ）］
・デシルグルコシド；商品名「マイドール１０」（花王(株)製，デシルグルコシド）
［成分（Ｄ）］
・ステアリルベタイン；商品名「リカビオンＡ−７００」（新日本理化(株)製，ステアリルジメチルアミノ酢酸ベタイン，有効成分量２８％)
［成分（Ｅ）］
・ラウリン酸アミドプロピルベタイン；商品名「リカビオンＢ−３００」（新日本理化(株)製，ラウラミドプロピルベタイン，有効成分量３０％)
［アニオン界面活性剤］
・ココアンホ酢酸ナトリウム；商品名「ソフタゾリンＣＨ」（川研ファインケミカル(株)製）
・ラウロイルメチルアラニンナトリウム；商品名「アランＡＬＥ」（川研ファインケミカル(株)製）
・脂肪酸石けん原料・・・ラウリン酸；商品名「ラウリン酸 Ｐ」（新日本理化(株)製)，ミリスチン酸；商品名「ミリスチン酸」（新日本理化(株)製），パルミチン酸；商品名「パルミチン酸 Ｐ」（新日本理化(株)製）、ステアリン酸；商品名「ステアリン酸５０００」（新日本理化（株）製）
・脂肪酸石けん原料・・・水酸化カリウム（ナカライテスク(株)製，有効成分量８５％）
［ノニオン界面活性剤］
・ポリオキシエチレン硬化ヒマシ油；商品名「ＥＭＡＬＥＸ  ＨＣ−６０」（日本エマルジョン(株)製、ＰＥＧ−６０水添ヒマシ油）
・ヤシ脂肪酸モノエタノールアミド；商品名「アミゾールＣＭＥ」（川研ファインケミカル(株)製，コカミドＭＥＡ）
・ジステアリン酸ポリエチレングリコール；商品名「ＥＭＡＬＥＸ  ６３００ｄｉ−ＳＴ」（日本エマルジョン(株)製、ジステアリン酸ＰＥＧ−１５０）
［その他の成分］
・ポリオキシエチレングリコール；商品名「ＰＥＧ−１５００ 」（三洋化成工業(株)製，ＰＥＧ−１５００）
・トリメチルグリシン；商品名「アミノコート」（旭化成(株)製，ベタイン）
・ポリオキシエチレンセチルステアリルジエーテル；商品名「エヌジェボンＥＣＳ−６００」（新日本理化(株)製）
・ジメチコン；商品名「ＫＦ−９６−１００ＣＳ」（信越化学工業(株)製，ジメチルポリシロキサン）
・ポリクオタニウム−７；商品名「ＭＥポリマー−０９Ｗ」（東邦化学(株)製，塩化ジメチルジアリルアンモニウム・アクリルアミド共重合体液、有効成分９％）
・ポリクオタニウム−１０；商品名「カチナールＨＣ−１００」（東邦化学(株)製，塩化Ｏ−〔２−ヒドロキシ−３−（トリメチルアンモニオ）プロピル〕ヒドロキシエチルセルロース）
・クエン酸；商品名「クエン酸（結晶）」（丸善薬品産業(株)製）
・ジステアリン酸グリコール；商品名「ペグノール ＥＤＳ」（東邦化学工業(株)製，ジステアリン酸グリコール）
なお、表１に記載の上記組成成分の組成比率（重量％）は、純分換算した数値を示している。
【００８３】
【表１】
2018070825.tif 000005
【００８４】
【表２】
2018070825.tif 000006
【００８５】
表２より、アスパラギン酸誘導体（成分（Ａ））を含有させることにより、起泡性や速泡性が向上し、泡量や泡質が良好になることがわかる。加えて、泡粘度が高く弾力性のある泡が得られることがわかる。
また表１より、アスパラギン酸誘導体を構成する２つのＭ１を変えることで、クリーム状や液状へと形態を変化させることができることがわかる。
【産業上の利用可能性】
【００８６】
本発明の洗浄剤組成物は、良好な組成物であるので、多様なニーズのある洗浄剤分野において、ベースとなる組成物である。